(57)【要約】【課題】簡便な設定で容易に無線端末による接続を管理・制御できる無線アクセスポイント装置を提供する。【解決手段】第一パスワード及び第二パスワード若しくは前記第二パスワードのみによって接続を許可された端末が通信中の場合は、他の端末に対して前記第一パスワードのみによって接続を許可して通信を開始することができ、また、前記第一パスワード及び前記第二パスワード若しくは前記第二パスワードのみによって許可されて通信中の端末が存在しない場合は、前記第一パスワードのみによっては如何なる端末も接続を許可しないように、ＣＰＵ１０３が制御する。【選択図】      図１
2005033406.tif 000002
【特許請求の範囲】
【請求項１】
有線ネットワークと無線ネットワークとの間でデータフレームを中継する無線アクセスポイント装置において、
第一パスワード及び第二パスワード若しくは前記第二パスワードのみによって接続を許可された端末が通信中の場合は、他の端末に対して前記第一パスワードのみによって接続を許可して通信を開始することができ、また、前記第一パスワード及び前記第二パスワード若しくは前記第二パスワードのみによって許可されて通信中の端末が存在しない場合は、前記第一パスワードのみによっては如何なる端末も接続を許可しないように制御する制御手段を設けたことを特徴とする無線アクセスポイント装置。
【発明の詳細な説明】
【０００１】
【発明の属する技術分野】
本発明は、有線ネットワークと無線ネットワークとの間でデータフレームを中継する無線アクセスポイント装置に関する。
【０００２】
【従来の技術】
情報通信技術の急速な発達に伴い、オフィスや家庭内にネットワーク・ＬＡＮ（Ｌｏｃａｌ  Ａｒｅａ  Ｎｅｔｗｏｒｋ）を構築するケースが増えている。
【０００３】
ＬＡＮを構築する方法として、ケーブルを介して端末とネットワークとを接続する方法に代わって、近年、電波等の無線通信を使って、ケーブルレスで端末とネットワークとを接続する無線ＬＡＮが普及してきている（特許文献１参照）。これは、サーバが管理する利用スペースをパスワードにより使えるようにしたものであって、アクセスポイントをパスワードにより使えるようにしたものではない。
【０００４】
無線ＬＡＮの通信形態としては、有線ネットワークと無線ネットワークとの間でデータフレームを中継する無線アクセスポイント装置（以下、アクセスポイントと記述する）を用いたインフラストラクチャ型通信形態の無線ＬＡＮが広く利用されている。このような無線ＬＡＮでは、無線ＬＡＮ上のそれぞれの端末（無線端末）から、アクセスポイントを介して有線ＬＡＮ上のサーバ等にアクセスすることが可能になる。
【０００５】
一つの端末から電波が到達する範囲内に複数のアクセスポイントが存在する場合は、接続すべきアクセスポイントを特定する必要がある。
【０００６】
この方法として、ＩＥＥＥ８０２．１１で規定される無線ＬＡＮ方式では、ＳＳＩＤを利用して接続するアクセスポイントを特定することが可能である。
【０００７】
無線ＬＡＮを利用すると、アクセスポイントを会議室に設置し、或いは可搬型のアクセスポイントを会議室に持ち込み、有線ネットワークと接続することで、会議参加者が携帯した端末から有線ネットワーク上のサーバ等にアクセスすることが容易にできる。
【０００８】
このような会議室で利用するアクセスポイントの場合、通信帯域の確保やセキュリティーの観点から、会議参加者の携帯する端末のみがアクセスポイントに接続できることが望ましい。
【０００９】
【特許文献１】
特開２００２−０８９１０３号公報
【００１０】
【発明が解決しょうとする課題】
しかしながら、上述した従来のアクセスポイント装置では、ＳＳＩＤによって接続先を特定するものにあっては、ＳＳＩＤを予め知っていれば会議参加者でなくとも端末をアクセスポイントに接続できてしまうといった問題点があった。
【００１１】
これを回避するため会議毎にＳＳＩＤを変更する場合は、会議の開始時及び終了時にアクセスポイントの設定を変更しなければならず、煩雑な操作を必要とすることになる。
【００１２】
また、会議毎に時限式のパスワードを利用して接続を制限する方式では、会議が長引いた場合に途中で接続が切断される他、会議が予定より早く終了した場合に、やはり会議参加者以外の端末によってアクセスポイントに接続できてしまうといった問題点があった。
【００１３】
本発明は、上記従来技術の有する問題点を解消するためになされたもので、その目的は、簡便な設定で容易に接続の管理及び制御を行うことができる無線アクセスポイント装置を提供することである。
【００１４】
【課題を解決するための手段】
上記目的を達成するために、本発明の無線アクセスポイント装置は、有線ネットワークと無線ネットワークとの間でデータフレームを中継する無線アクセスポイント装置において、第一パスワード及び第二パスワード若しくは前記第二パスワードのみによって接続を許可された端末が通信中の場合は、他の端末に対して前記第一パスワードのみによって接続を許可して通信を開始することができ、また、前記第一パスワード及び前記第二パスワード若しくは前記第二パスワードのみによって許可されて通信中の端末が存在しない場合は、前記第一パスワードのみによっては如何なる端末も接続を許可しないように制御する制御手段を設けたことを特徴とする。
【００１５】
【発明の実施の形態】
以下、本発明の各実施の形態について、図面を参照して説明する。
【００１６】
（第一の実施の形態）
まず、本発明の第一の実施の形態を、図１乃至図６に基づき説明する。
【００１７】
図１は、本発明の第一の実施の形態に係るアクセスポイント装置の構成を示すブロック図である。
【００１８】
図１において、１００はアクセスポイント装置で、無線通信回路部１０１、有線ネットワークインターフェース部１０２、ＣＰＵ（中央演算処理装置）１０３、ＲＯＭ（リードオンリーメモリ）１０４、ＲＡＭ（ランダムアクセスメモリ）１０５を備え、これらの各ブロックは、バスライン１０６を介して互いに接続されている。また、アクセスポイント装置１００は、ＥＥＰＲＯＭ（ｅｌｅｃｔｒｉｃａｌｌｙ  ｅｒａｓａｂｌｅ  ａｎｄ  ｐｒｏｇｒａｍｍａｂｌｅ  ｒｅａｄ  ｏｎｌｙ  ｍｅｍｏｒｙ）１０７及び電源回路部１０８を備えている。
【００１９】
無線通信回路部１０１は、アンテナ、高周波回路及び符号化・復号化回路等から構成され、同等の無線通信機能を有する情報処理装置等の端末と互いにデータの送信及び受信を行う。
【００２０】
本実施の形態に係るアクセスポイント装置１００は、同時に複数の端末と無線通信を行うことが可能であり、このとき、アクセスポイント装置１００は、各端末に個別に割り振られたＭＡＣアドレスと呼ばれる固有の識別符号によって、データの送信元や送信先を特定して通信を行う。
【００２１】
有線ネットワークインターフェース部１０２は、ケーブルを接続するコネクタを備え、このコネクタに接続されたケーブルを介して、物理的及び論理的に外部の有線ネットワークと接続される。有線ネットワークインターフェース部１０２は、接続された有線ネットワークから送信されて来るデータフレームを受信する機能及び有線ネットワークにデータフレームを送出する機能を備えている。
【００２２】
アクセスポイント装置１００は、無線通信回路部１０１で受信した端末（無線端末）からのデータにヘッダ情報を適切に付加して構成したデータフレームを有線ネットワークインターフェース部１０２から送出する。また、アクセスポイント装置１００は、有線ネットワークからデータフレームを受け取ると、端末宛のデータフレームに構成し直して、そのデータフレームを無線通信回路部１０１から送出する。
【００２３】
このようにして、アクセスポイント装置１００は、無線接続した端末と有線ネットワークとの間でデータフレームの中継を行う。
【００２４】
ＣＰＵ１０３は、ＲＯＭ１０４に格納された制御手順を読み出して順次実行することにより、無線通信回路部１０１の制御及び有線ネットワークインターフェース部１０２の制御等を行う。また、ＣＰＵ１０３は、端末からの無線接続に関して、パスワードを用いた接続制御や管理を行い、端末から送信されて来るパスワードに応じて無線接続の許可または拒否を決定して接続制御等を行う。
【００２５】
ＲＯＭ１０４は、ＣＰＵ１０３の制御手順を予め格納する不揮発性メモリである。ＲＯＭ１０４は、ＣＰＵ１０３からの読み出し命令によって、格納された内容をバスライン１０６に出力する。
【００２６】
ＲＡＭ１０５は、無線通信回路部１０１や有線ネットワークインターフェース部１０２が受信したデータフレームの一時的なバッファリング、無線通信回路部１０１から送信するデータや有線ネットワークインターフェース部１０２から送出するデータフレームの一時的な記憶及びＣＰＵ１０３のワークメモリ等の機能を提供する。
【００２７】
ＥＥＰＲＯＭ１０７は、アクセスポイント装置１００の動作を規定する種々の動作パラメータの値を記憶する書き換え可能な不揮発性のメモリ素子である。ＥＥＰＲＯＭ１０７は、シリアル通信インターフェース１０９を介してＣＰＵ１０３に接続され、格納されているデータをＣＰＵ１０３に出力すると共に、ＣＰＵ１０３から出力されるデータを格納して記憶する。
【００２８】
ＥＥＰＲＯＭ１０７には、アクセスポイント装置１００に無線接続する際に必要となるパスワードを格納するための領域が確保されている。このパスワードは、有線ネットワークを介して接続された端末等から登録することが可能であり、登録されたパスワードは、ＥＥＰＲＯＭ１０７のパスワードを格納する領域に記憶される。
【００２９】
電源回路部１０８は、ＤＣ／ＤＣコンバータ等で構成され、図示しないＡＣアダプタから供給される電力を適切な電圧に変換し、電源ライン１１０を介してアクセスポイント装置１００の各構成要素に供給する機能を備えている。
【００３０】
次に、本実施の形態に係るアクセスポイント装置１００へパスワードを登録する方法を、図２を参照して説明する。
【００３１】
図２は、ＥＥＰＲＯＭ１０７に確保されたパスワードを記憶する領域の構成を示す図である。
【００３２】
図２（ａ）に示すように、ＥＥＰＲＯＭ１０７には、第一パスワードを記憶する領域及び第二パスワードを記憶する領域が設けられている。各々の第一パスワードには、それぞれ一つの第二パスワードが対応し、二つのパスワードが組として記憶される。
【００３３】
パスワードの登録は、有線ネットワークを介して接続されたパーソナルコンピュータ等（以下、ＰＣと記述する）から行うことができる。ＰＣのブラウザソフトを利用し、ＨＴＴＰプロトコルによってアクセスポイント装置１００に接続すると、このアクセスポイント装置１００のＣＰＵ１０３は、予めＲＯＭ１０４に格納されているＨＴＭＬで記述された登録ページをＰＣに送信する。登録ページには、二つのパスワードを入力するテキストボックスや、「登録」ボタンがＦＯＲＭタグを使って記述されており、ＰＣのブラウザソフト上には、パスワード入力ボックスや「登録」ボタンが表示される。
【００３４】
ＰＣのブラウザソフト上で、第一パスワードと第二パスワードの二つのパスワードを入力して「登録」ボタンをクリックすると、登録する二つパスワードの組がアクセスポイント装置１００に通知される。アクセスポイント装置１００のＣＰＵ１０３は、受け取った第一パスワード及び第二パスワードを、シリアル通信インターフェース１０９を介してＥＥＰＲＯＭ１０７のパスワードを格納する領域に記録する。
【００３５】
図２（ｂ）は、一組の第一パスワード及び第二パスワードが、ＥＥＰＲＯＭ１０７に記憶されている様子を示している。ここでは、第一パスワードとして「ｂｌａｎｃ」が登録され、対応する第二パスワードとして「ｗｈｉｔｅ」が登録されている例を示している。
【００３６】
他のＰＣからも同様にしてパスワードの登録を行うことが可能である。このとき、ＥＥＰＲＯＭ１０７には、複数の第一パスワードと第二パスワードの組が格納される。図２（ｃ）は、この様子を示しており、図２（ｂ）の状態から第一パスワード「ｎｏｉｒ」と第二パスワード「ｂｌａｃｋ」の組が追加された例を示している。
【００３７】
尚、登録しようとする第一パスワードまたは第二パスワードが既に登録されているパスワードのいずれかと同じ場合は、ＨＴＭＬで記述されたエラー情報ページをＰＣに送信し、異なるパスワードを登録し直すように促す。
【００３８】
また、パスワードが正常に登録された場合は、登録が完了した旨を記述したＨＴＭＬページを送信してＰＣに通知する。
【００３９】
次に、本実施の形態に係るアクセスポイント装置１００と無線端末との接続手順について、図３乃至図５を参照して説明する。
【００４０】
図３乃至図５は、アクセスポイント装置１００と無線端末との接続手順を示すシーケンス図である。
【００４１】
図３は、アクセスポイント装置１００からのパスワード要求に対して、無線端末が第一パスワードのみを応答する場合のシーケンス図である。
【００４２】
無線端末Ａがアクセスポイント装置１００に対して、接続の開始を要求すると（Ｓ３０１）、アクセスポイント装置１００は、無線端末Ａに対してパスワードを送信するように要求する（Ｓ３０２）。アクセスポイント装置１００からパスワードの送信を要求された無線端末Ａは、第一パスワードをアクセスポイントに送信する（Ｓ３０３）。アクセスポイント装置１００は、受信したパスワードが第一パスワードのみであるから接続を許可しないと判断し（Ｓ３０４）、無線端末Ａに対して接続を拒否することを通知する（Ｓ３０５）。
【００４３】
図４は、無線端末が第一パスワードと第二パスワードの双方を送信して接続が許可される場合のシーケンス図である。
【００４４】
図３の場合と同様に、無線端末Ｂからアクセスポイント装置１００への接続要求に対して（Ｓ４０１）、アクセスポイント装置１００は、パスワードの送信を要求し（Ｓ４０２）、これに対して無線端末Ｂは、第一パスワード及び第二パスワードをアクセスポイント装置１００に送信する（Ｓ４０３）。パスワードを受信したアクセスポイント装置１００は、ＥＥＰＲＯＭ１０７に格納されているパスワードと照合して、受信した第一パスワード及び第二パスワードが適切なパスワードである場合は接続を許可すると判断して（Ｓ４０４）、無線端末Ｂに対して接続を許可することを通知する（Ｓ４０５）。その後、アクセスポイント装置１００は、無線端末Ｂとの間にデータリンクを確立し（Ｓ４０６）、データ通信を開始する（Ｓ４０７）。
【００４５】
図５は、上述の図４に示したシーケンス図に従った手順によって無線端末がアクセスポイント装置１００とデータ通信中に、別の無線端末が接続要求を行う場合のシーケンス図である。
【００４６】
無線端末Ｃがアクセスポイント装置１００とリンクを確立してデータ通信中に（Ｓ５００）、無線端末Ｄがアクセスポイント装置１００に対して接続の開始を要求すると（Ｓ５０１）、図３及び図４の場合と同様に、アクセスポイント装置１００は、無線端末Ｄに対してパスワードを送信するように要求する（Ｓ５０２）。
【００４７】
アクセスポイント装置１００からパスワードの送信を要求された無線端末Ｄは、第一パスワードをアクセスポイントに送信する（Ｓ５０３）。アクセスポイント装置１００は、受信したパスワードが第一パスワードのみであるが、その第一パスワードと対応する第二パスワードの二つのパスワードによって、既に無線端末Ｃが接続を許可され通信中であるから（Ｓ５００）、無線端末Ｄによる接続を許可すると判断して（Ｓ５０４）、無線端末Ｄに対して接続を許可することを通知する（Ｓ５０５）。その後、アクセスポイント装置１００は、無線端末Ｄとの間にデータリンクを確立し（Ｓ５０６）、データ通信を開始する（Ｓ５０７）。
【００４８】
以下、本実施の形態に係るアクセスポイント装置１００の動作を、図６を参照して詳細に説明する。
【００４９】
図６は、本実施の形態に係るアクセスポイント装置１００が、無線端末からの接続要求を受信した際に実行する接続制御処理動作の流れを示すフローチャートである。
【００５０】
本フローチャートに示す処理は、アクセスポイント装置１００のＣＰＵ１０３がＲＯＭ１０４に格納された制御手順に基づき実行する。上述した図３乃至図５に示すシーケンス図におけるアクセスポイント装置１００の動作も、本フローチャートに従った処理動作を行うことにより実現される。
【００５１】
無線端末から送信された接続要求信号を無線通信回路部１０１が受信すると、ＣＰＵ１０３は、ＲＯＭ１０４に予め格納された制御手順を実行し、その途中で図６に示す処理手順を実行する。
【００５２】
即ち、ステップＳ６０１でＣＰＵ１０３は、接続を要求した無線端末にパスワードの送信を要求するパスワード要求信号を送信するように無線通信回路部１０１に指示する。無線通信回路部１０１は、接続を要求した無線端末のＭＡＣアドレスを送信先アドレスに指定してパスワード要求信号を無線送信する。
【００５３】
次に、ステップＳ６０２で、ＣＰＵ１０３は、無線通信回路部１０１から出力される信号の状態を検出し、無線端末からパスワードを受信したか否かを判断する。パスワードが受信されていない間は、再び前記ステップＳ６０２へ戻ってパスワードの受信を待ち、一方、無線端末からパスワードを受信した場合は、次のステップＳ６０３へ進む。
【００５４】
ステップＳ６０３では、前記ステップＳ６０２において受信したパスワードが第一パスワードのみであるか、第一パスワード及び第二パスワードの双方であるかを判断し、第一パスワードのみの場合はステップＳ６０４へ進み、第一パスワード及び第二パスワードの双方である場合はステップＳ６０８へ進む。
【００５５】
ステップＳ６０４では、ＣＰＵ１０３は、シリアル通信インターフェース１０９を介してＥＥＰＲＯＭ１０７に格納されている登録済みの第一パスワードを順次読み出し、前記ステップＳ６０２において受信した第一パスワードと比較照合する。受信した第一パスワードが登録済み第一パスワードのいずれかと一致する場合はステップＳ６０５へ進み、登録済み第一パスワードのいずれとも一致しない場合はステップＳ６０９へ進む。
【００５６】
ステップＳ６０５では、ＣＰＵ１０３は、受信した第一パスワードに対応する第二パスワードをＥＥＰＲＯＭ１０７からシリアル通信インターフェース１０９を介して読み出し、これら第一パスワード及び第二パスワードを送信して接続を許可され、データ通信中である端末が現在存在するか否かを判断する。そして、データ通信中である無線端末が存在する場合はステップＳ６０６へ進み、また、存在しない場合はステップＳ６０９へ進む。
【００５７】
ステップＳ６０６では、ＣＰＵ１０３は、接続を要求した無線端末に対して無線接続を許可する無線接続許可信号を送信するように無線通信回路部１０１に指示する。無線通信回路部１０１は、接続を要求した無線端末のＭＡＣアドレスを送信先アドレスに指定して接続許可信号を無線送信する。
【００５８】
次に、ステップＳ６０７で、アクセスポイント１００は、接続を要求した無線端末との間にデータリンクを確立してデータ通信を開始した後、本処理動作を終了する。
【００５９】
一方、前記ステップＳ６０３において受信したパスワードが第一パスワード及び第二パスワードの双方であると判断された場合は、ステップＳ６０８で、ＣＰＵ１０３は、ＥＥＰＲＯＭ１０７に格納されている登録済みの第一パスワード及び第二パスワードの組を順次読み出し、受信した第一パスワード及び第二パスワードの組と一致するかどうか比較照合する。受信した第一パスワードおよび第二パスワードの組が、ＥＥＰＲＯＭ１０７に格納された登録済みの第一パスワード及び第二パスワードの組のいずれかと一致する場合はステップＳ６０６へ進む。
【００６０】
以下、上述の場合と同様に、ステップＳ６０６で無線端末に対して接続を許可する接続許可信号を送信する。次に、ステップＳ６０７で当該無線端末との間にデータリンクを確立してデータ通信を開始した後、本処理動作を終了する。
【００６１】
一方、受信した第一パスワード及び第二パスワードの組が登録済みの第一パスワード及び第二パスワードの組のいずれとも一致しない場合はステップＳ６０９へ進む。
【００６２】
ステップＳ６０４またはステップＳ６０８において、受信したパスワードがＥＥＰＲＯＭ１０７に格納された登録済みのパスワードと一致しないと判断された場合及び前記ステップＳ６０５において、受信した第一パスワードと対応する第二パスワードとの組によって接続を許可されデータ通信中の無線端末が存在しないと判断された場合は、いずれもステップＳ６０９へ進んで、ＣＰＵ１０３は、接続を要求した無線端末に対して無線接続を拒否する無線接続拒否信号を送信するように無線通信回路部１０１に指示した後、本処理動作を終了する。
【００６３】
無線通信回路部１０１は、接続を要求した無線端末のＭＡＣアドレスを送信先アドレスに指定して接続拒否信号を無線送信する。
【００６４】
以上のように、図６に示したフローチャートに従った処理を行うことにより、接続を要求した無線端末が第一パスワードのみを送信した場合は、その第一パスワードと対応する第二パスワードとを送信して接続中の無線端末が存在する場合だけ、アクセスポイント装置１００への接続を許可することが可能である。
【００６５】
例えば、会議室で利用するアクセスポイント装置１００の場合、会議の主催者が予めアクセスポイント装置１００に第一パスワード及び第二パスワードを登録し、第一パスワードをその会議におけるパスワード、即ち、会議ＩＤとして会議参加予定者に電子メール等で通知しておく。会議開催時には、会議主催者の端末が第一パスワード及び第二パスワードを送信してアクセスポイント装置１００に接続している間だけ、会議参加者は、通知された会議ＩＤを送信して無線端末をアクセスポイント装置１００に接続することができる。
【００６６】
一方、会議主催者の端末がアクセスポイント装置１００に接続中でない場合は、他の会議参加者は、無線端末をアクセスポイント装置１００に接続することができない。
【００６７】
このように、本実施の形態に係るアクセスポイント装置１００では、無線端末から接続を要求されパスワードを受信した際に、受信したパスワードが登録された第一パスワード及び第二パスワードに一致する場合は、当該端末の接続を許可してデータ通信を行い、このようにしてデータ通信中のときに限り、第一パスワードのみを送信する端末に対して接続を許可する制御を行うので、簡便な設定で容易に無線アクセスポイント装置１００への無線端末による接続を管理・制御できる。
【００６８】
尚、上述した第一の実施の形態では、アクセスポイント装置１００が無線端末からの接続要求を受信すると、当該無線端末に対してパスワードの送信を要求する場合を説明したが、本発明は、これに限定されるものではなく、例えば、無線端末が接続要求信号と共に、同時にパスワードを送信し、この信号を受信すると、直ちにパスワードの比較照合を行うアクセスポイント装置であっても、本発明を構成することは言うまでもない。
【００６９】
この場合、アクセスポイント装置は、パスワードの送信を要求する信号を無線端末に対して送信することなく本発明を構成し得る。
【００７０】
また、上述した第一の実施の形態では、パスワードを記憶するメモリ素子（ＥＥＰＲＯＭ１０７）は、シリアル通信インターフェースを介してＣＰＵ１０３と接続される場合を説明したが、本発明は，これに限定されるものではなく、例えば、フラッシュ型ＥＥＰＲＯＭのように、バスライン１０６を介してＣＰＵ１０３に接続されるメモリ素子であっても、本発明を構成することは言うまでもない。
【００７１】
この場合、ＣＰＵ制御手順とパスワードとを共通のバス接続型のメモリ素子に記憶しても、本発明を構成し得る。
【００７２】
（第二の実施の形態）
次に、本発明の第二の実施の形態を、図７に基づき説明する。
【００７３】
尚、本実施の形態に係るアクセスポイント装置の構成は、上述した第一の実施の形態における図１と同一であるから、同図を流用して説明する。
【００７４】
上述した第一の実施の形態では、第一パスワード及び第二パスワードの組を送信して接続を許可された無線端末の有無によって、第一パスワードのみを送信した無線端末の接続の可否を決定する制御を行う場合を説明したが、本発明は、第二パスワードのみを送信して接続を許可された無線端末の有無によって、他の端末の接続の可否を決定する場合であっても、本発明を構成し得ることになる。本実施の形態は、こうしたアクセスポイント装置に関するものである。
【００７５】
以下、本実施の形態に係るアクセスポイント装置１００の動作を、図７を参照して詳細に説明する。
【００７６】
図７は、本実施の形態に係るアクセスポイント装置１００が、無線端末からの接続要求を受信した際に実行する接続制御処理動作の流れを示すフローチャートである。
【００７７】
上述した第一の実施の形態における図６のステップＳ６０１及びステップＳ６０２と同様に、図７のステップＳ７０１で、ＣＰＵ１０３は、接続を要求した無線端末にパスワードの送信を要求するパスワード要求信号を送信するように無線通信回路部１０１に指示し、次のステップＳ７０２で、無線端末からのパスワードを受信するまで待機する。
【００７８】
次に、ステップＳ７０３で、前記ステップＳ７０２において受信したパスワードが第一パスワードであるか、第二パスワードであるかを判断する。そして、第一パスワードである場合はステップＳ７０４へ進み、第二パスワードである場合はステップＳ７０８へ進む。
【００７９】
ステップＳ７０４では、図６のステップＳ６０４と同様に、ＥＥＰＲＯＭ１０７に格納されている第一パスワードを順次読み出し、受信した第一パスワードと比較照合する。そして、受信した第一パスワードが登録済みの第一パスワードのいずれかと一致する場合は、ステップＳ７０５へ進み、登録済みの第一パスワードのいずれとも一致しない場合は、ステップＳ７０９へ進む。
【００８０】
ステップＳ７０５では、ＣＰＵ１０３は、受信した第一パスワードに対応する第二パスワードをＥＥＰＲＯＭ１０７から読み出し、当該第二パスワードを送信して接続を許可され、データ通信中である端末が存在するか否かを判断する。そして、データ通信中である無線端末が存在する場合はステップＳ７０６へ進み、データ通信中である無線端末が存在しない場合はステップＳ７０９へ進む。
【００８１】
ステップＳ７０６では、ＣＰＵ１０３は、接続を要求した無線端末に対して無線接続を許可する無線接続許可信号を送信するように無線通信回路部１０１に指示し、次のステップＳ７０７で、アクセスポイント装置１００は、接続を要求した無線端末との間にデータリンクの確立を行い、データ通信を開始した後、本処理動作を終了する。
【００８２】
一方、前記ステップＳ７０３において、受信したパスワードが第二パスワードであると判断された場合は、ステップＳ７０８で、ＣＰＵ１０３は、ＥＥＰＲＯＭ１０７に格納されている登録済みの第二パスワードを順次読み出し、受信した第二パスワードと一致するか否かを比較照合する。そして、受信した第二パスワードが登録済みの第二パスワードのいずれかと一致する場合は、ステップＳ７０６へ進み、以下上述の場合と同様に、接続許可信号の送信、データリンクの確立を行って、データ通信を開始した後、本処理動作を終了する。
【００８３】
また、受信した第二パスワードが登録済みの第二パスワードのいずれとも一致しない場合は、ステップＳ７０９へ進む。
【００８４】
前記ステップＳ７０４またはステップＳ７０８において、受信したパスワードがＥＥＰＲＯＭ１０７に格納された登録済みのパスワードと一致しないと判断された場合及び前記ステップＳ７０５において、受信した第一パスワードに対応する第二パスワードによって接続を許可されてデータ通信中の無線端末が存在しないと判断された場合は、いずれもステップＳ７０９へ進んで、ＣＰＵ１０３は、接続を要求した無線端末に対して無線接続を拒否する無線接続拒否信号を送信するように無線通信回路部１０１に指示した後、本処理動作を終了する。
【００８５】
以上のように、図７に示したフローチャートに従った処理を行うことにより、接続を要求した無線端末が第一パスワードを送信した場合は、その第一パスワードに対応する第二パスワードを送信して、接続中の無線端末が存在する場合だけ、アクセスポイント装置１００への接続を許可することが可能であり、上述した第一の実施の形態と同様の効果を得ることができる。
【００８６】
尚、上述した第二の実施の形態では、上述した第一の実施の形態の場合と同様に、無線端末が接続要求信号と共に、同時にパスワードを送信し、この信号を受信すると、直ちにパスワードの比較照合を行うアクセスポイント装置であっても、本発明を構成することは言うまでもない。
【００８７】
また、上述した第二の実施の形態では、上述した第一の実施の形態の場合と同様に、パスワードを記憶するメモリ素子は、例えば、フラッシュ型ＥＥＰＲＯＭのように、バスライン１０６を介してＣＰＵ１０３に接続されるメモリ素子であっても、本発明を構成することは言うまでもない。
【００８８】
（その他の実施の形態）
上述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出して実行することによっても、本発明が達成されることは言うまでもない。
【００８９】
この場合、記憶媒体から読み出されたプログラムコード自体が上述した実施の形態の機能を実現することになり、そのプログラムコードを記憶した記憶媒体は本発明を構成することになる。
【００９０】
また、プログラムコードを供給するための記憶媒体としては、例えば、ＲＡＭ、ＮＶ−ＲＡＭ、フロッピー（登録商標）ディスク、ハードディスク、光ディスク、光磁気ディスク、ＭＯ、ＣＤ−ＲＯＭ、ＣＤ−Ｒ、ＣＤ−ＲＷ、ＤＶＤ（ＤＶＤ−ＲＯＭ、ＤＶＤ−Ｒ、ＤＶＤ−ＲＷ等）、磁気テープ、不揮発性のメモリカード、他のＲＯＭ等の上記プログラムコードを記憶できるものであれば良く、或いはネットワークを介したダウンロード等を用いることができる。
【００９１】
また、コンピュータが読み出したプログラムコードを実行することにより、上述した実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれることは言うまでもない。
【００９２】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれることは言うまでもない。
【００９３】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００９４】
本発明の実施態様の例を以下に列挙する。
【００９５】
［実施態様１］  有線ネットワークと無線ネットワークとの間でデータフレームを中継する無線アクセスポイント装置において、
第一パスワード及び第二パスワード若しくは前記第二パスワードのみによって接続を許可された端末が通信中の場合は、他の端末に対して前記第一パスワードのみによって接続を許可して通信を開始することができ、また、前記第一パスワード及び前記第二パスワード若しくは前記第二パスワードのみによって許可されて通信中の端末が存在しない場合は、前記第一パスワードのみによっては如何なる端末も接続を許可しないように制御する制御手段を備えたことを特徴とする無線アクセスポイント装置。
【００９６】
［実施態様２］  有線ネットワークと無線ネットワークとの間でデータフレームを中継する無線アクセスポイント装置において、
第一の符号列と第二の符号列の一つまたは複数の組をそれぞれ対応付けて記憶する記憶手段と、
接続を許可する信号を送信する接続許可信号送信手段と、
接続を拒否する信号を送信する接続拒否信号送信手段と、
端末から送信された接続要求信号を受信すると所定の符号列を送信するように要求する信号を送信する符号列要求信号送信手段と、
端末から送信された符号列を受信する符号列受信手段と、
前記符号列受信手段により受信した符号列と前記記憶手段に記憶された符号列とを比較照合する符号列比較照合手段と、
前記符号列比較照合手段により前記受信した符号列が前記対応付けられた前記第一の符号列及び前記第二の符号列との組のいずれかに一致する場合は前記接続許可信号送信手段により当該端末に対して接続を許可する信号を送信する制御を行う第一の接続制御手段と、
前記符号列比較照合手段により前記受信した符号列が前記第一の符号列のいずれかに一致し且つ前記一致した第一の符号列及び対応付けられて前記記憶手段に記憶された前記第二の符号列とを送信して前記第一の接続制御手段により接続を許可されて通信中の端末が存在する場合は前記接続許可信号送信手段により当該端末に対して接続を許可する信号を送信し且つ前記通信中の端末が存在しない場合は前記接続拒否信号送信手段により当該端末に対して接続を拒否する信号を送信する第二の接続制御手段とを
備えたことを特徴とする無線アクセスポイント装置。
【００９７】
［実施態様３］  前記符号列比較照合手段により前記受信した符号列が前記記憶手段に記憶された前記第一の符号列のいずれとも一致せず且つ前記第一の符号列と前記第二の符号列との組のいずれとも一致しない場合は、前記接続拒否信号送信手段により当該端末に対して接続を拒否する信号を送信する制御を行う第三の接続制御手段を備えたことを特徴とする実施態様２に記載の無線アクセスポイント装置。
【００９８】
［実施態様４］  前記有線ネットワークインターフェースに接続された前記有線ネットワークから送信される前記第一の符号列及び前記第二の符号列との組を受信して前記記憶手段に記録する符号列記録手段を備えたことを特徴とする実施態様２または３に記載の無線アクセスポイント装置。
【００９９】
［実施態様５］  有線ネットワークと無線ネットワークとの間でデータフレームを中継する無線アクセスポイント装置において、
第一の符号列と第二の符号列の一つまたは複数の組をそれぞれ対応付けて記憶する記憶手段と、
接続を許可する信号を送信する接続許可信号送信手段と、
接続を拒否する信号を送信する接続拒否信号送信手段と、
端末から接続要求信号と共に送信される符号列を受信する符号列受信手段と、
前記符号列受信手段により受信した符号列と前記記憶手段に記憶された符号列とを比較照合する符号列比較照合手段と、
前記符号列比較照合手段により前記受信した符号列が前記対応付けられた第一の符号列及び前記第二の符号列との組のいずれかに一致する場合は前記接続許可信号送信手段により当該端末に対して接続を許可する信号を送信する制御を行う第一の接続制御手段と、
前記符号列比較照合手段により前記受信した符号列が前記第一の符号列のいずれかに一致し且つ前記一致した第一の符号列及び対応付けられて前記記憶手段に記憶された前記第二の符号列とを送信して前記第一の接続制御手段により接続を許可されて通信中の端末が存在する場合は前記接続許可信号送信手段により当該端末に対して接続を許可する信号を送信し且つ前記通信中の端末が存在しない場合は前記接続拒否信号送信手段により当該端末に対して接続を拒否する信号を送信する第二の接続制御手段と
を備えたことを特徴とする無線アクセスポイント装置。
【０１００】
［実施態様６］  前記符号列比較照合手段により前記受信した符号列が前記記憶手段に記憶された前記第一の符号列のいずれとも一致せず且つ前記第一の符号列と前記第二の符号列との組のいずれとも一致しない場合は、前記接続拒否信号送信手段により当該端末に対して接続を拒否する信号を送信する制御を行う第三の接続制御手段を備えたことを特徴とする実施態様５に記載の無線アクセスポイント装置。
【０１０１】
［実施態様７］  前記有線ネットワークインターフェースに接続された前記有線ネットワークから送信される前記第一の符号列及び前記第二の符号列との組を受信して前記記憶手段に記録する符号列記録手段を備えたことを特徴とする実施態様５または６に記載の無線アクセスポイント装置。
【０１０２】
［実施態様８］  有線ネットワークと無線ネットワークとの間でデータフレームを中継する無線アクセスポイント装置において、
第一の符号列と第二の符号列の一つまたは複数の組をそれぞれ対応付けて記憶する記憶手段と、
接続を許可する信号を送信する接続許可信号送信手段と、
接続を拒否する信号を送信する接続拒否信号送信手段と、
端末から送信された接続要求信号を受信すると所定の符号列を送信するように要求する信号を送信する符号列要求信号送信手段と、
端末から送信された符号列を受信する符号列受信手段と、
前記符号列受信手段により受信した符号列と前記記憶手段に記憶された符号列とを比較照合する符号列比較照合手段と、
前記符号列比較照合手段により前記受信した符号列が前記第二の符号列のいずれかに一致する場合は前記接続許可信号送信手段により当該端末に対して接続を許可する信号を送信する制御を行う第一の接続制御手段と、
前記符号列比較照合手段により前記受信した符号列が前記第一の符号列のいずれかに一致し且つ前記一致した前記第一の符号列に対応付けられて前記記憶手段に記憶された前記第二の符号列を送信して前記第一の接続制御手段により接続を許可されて通信中の端末が存在する場合は前記接続許可信号送信手段により当該端末に対して接続を許可する信号を送信し且つ前記通信中の端末が存在しない場合は前記接続拒否信号送信手段により当該端末に対して接続を拒否する信号を送信する第二の接続制御手段と
を備えたことを特徴とする無線アクセスポイント装置。
【０１０３】
［実施態様９］  前記符号列比較照合手段により前記受信した符号列が前記記憶手段に記憶された前記第一の符号列及び前記第二の符号列のいずれとも一致しない場合は、前記接続拒否信号送信手段により当該端末に対して接続を拒否する信号を送信する制御を行う第三の接続制御手段を備えたことを特徴とする実施態様８に記載の無線アクセスポイント装置。
【０１０４】
［実施態様１０］  前記有線ネットワークインターフェースに接続された前記有線ネットワークから送信される前記第一の符号列及び前記第二の符号列との組を受信して前記記憶手段に記録する符号列記録手段を備えたことを特徴とする実施態様８または９に記載の無線アクセスポイント装置。
【０１０５】
［実施態様１１］  有線ネットワークと無線ネットワークとの間でデータフレームを中継する無線アクセスポイント装置において、
第一の符号列と第二の符号列の一つまたは複数の組をそれぞれ対応付けて記憶する記憶手段と、
接続を許可する信号を送信する接続許可信号送信手段と、
接続を拒否する信号を送信する接続拒否信号送信手段と、
端末から接続要求信号と共に送信される符号列を受信する符号列受信手段と、
前記符号列受信手段により受信した前記符号列と前記記憶手段に記憶された前記符号列とを比較照合する符号列比較照合手段と、
前記符号列比較照合手段により前記受信した符号列が前記第二の符号列のいずれかに一致する場合は前記接続許可信号送信手段により当該端末に対して接続を許可する信号を送信する制御を行う第一の接続制御手段と、
前記符号列比較照合手段により前記受信した符号列が前記第一の符号列のいずれかに一致し且つ前記一致した第一の符号列に対応付けられて前記記憶手段に記憶された前記第二の符号列を送信して前記第一の接続制御手段により接続を許可されて通信中の端末が存在する場合は前記接続許可信号送信手段により当該端末に対して接続を許可する信号を送信し且つ前記通信中の端末が存在しない場合は前記接続拒否信号送信手段により当該端末に対して接続を拒否する信号を送信する第二の接続制御手段と
を備えたことを特徴とする無線アクセスポイント装置。
【０１０６】
［実施態様１２］  前記符号列比較照合手段により前記受信した符号列が前記記憶手段に記憶された前記第一の符号列及び前記第二の符号列のいずれとも一致しない場合は前記接続拒否信号送信手段により当該端末に対して接続を拒否する信号を送信する制御を行う第三の接続制御手段を備えたことを特徴とする実施態様１１に記載の無線アクセスポイント装置。
【０１０７】
［実施態様１３］  前記有線ネットワークインターフェースに接続された前記有線ネットワークから送信される前記第一の符号列及び前記第二の符号列との組を受信して前記記憶手段に記録する符号列記録手段を備えたことを特徴とする実施態様１１または１２に記載の無線アクセスポイント装置。
【０１０８】
［実施態様１４］  有線ネットワークと無線ネットワークとの間でデータフレームを中継する無線アクセスポイント装置を制御する制御方法において、
第一パスワード及び第二パスワード若しくは前記第二パスワードのみによって接続を許可された端末が通信中の場合は、他の端末に対して前記第一パスワードのみによって接続を許可して通信を開始することができ、また、前記第一パスワード及び前記第二パスワード若しくは前記第二パスワードのみによって許可されて通信中の端末が存在しない場合は、前記第一パスワードのみによっては如何なる端末も接続を許可しないように制御する制御工程を備えたことを特徴とする無線アクセスポイント装置の制御方法。
【０１０９】
［実施態様１５］  有線ネットワークと無線ネットワークとの間でデータフレームを中継する無線アクセスポイント装置の制御方法において、
第一の符号列と第二の符号列の一つまたは複数の組をそれぞれ対応付けて記憶手段に記憶する記憶工程と、
接続を許可する信号を送信する接続許可信号送信工程と、
接続を拒否する信号を送信する接続拒否信号送信工程と、
端末から送信された接続要求信号を受信すると所定の符号列を送信するように要求する信号を送信する符号列要求信号送信工程と、
端末から送信された符号列を受信する符号列受信工程と、
前記符号列受信工程により受信した符号列と前記記憶工程により記憶された符号列とを比較照合する符号列比較照合工程と、
前記符号列比較照合工程により前記受信した符号列が前記対応付けられた前記第一の符号列及び前記第二の符号列との組のいずれかに一致する場合は前記接続許可信号送信工程により当該端末に対して接続を許可する信号を送信する制御を行う第一の接続制御工程と、
前記符号列比較照合工程により前記受信した符号列が前記第一の符号列のいずれかに一致し且つ前記一致した第一の符号列及び対応付けられて前記記憶工程により記憶された前記第二の符号列とを送信して前記第一の接続制御工程により接続を許可されて通信中の端末が存在する場合は前記接続許可信号送信工程により当該端末に対して接続を許可する信号を送信し且つ前記通信中の端末が存在しない場合は前記接続拒否信号送信工程により当該端末に対して接続を拒否する信号を送信する第二の接続制御工程とを
備えたことを特徴とする無線アクセスポイント装置の制御方法。
【０１１０】
［実施態様１６］  前記符号列比較照合工程により前記受信した符号列が前記記憶工程により記憶された前記第一の符号列のいずれとも一致せず且つ前記第一の符号列と前記第二の符号列との組のいずれとも一致しない場合は、前記接続拒否信号送信工程により当該端末に対して接続を拒否する信号を送信する制御を行う第三の接続制御工程を備えたことを特徴とする実施態様１５に記載の無線アクセスポイント装置の制御方法。
【０１１１】
［実施態様１７］  前記有線ネットワークインターフェースに接続された前記有線ネットワークから送信される前記第一の符号列及び前記第二の符号列との組を受信して前記記憶手段に記録する符号列記録工程を備えたことを特徴とする実施態様１５または１６に記載の無線アクセスポイント装置の制御方法。
【０１１２】
［実施態様１８］  有線ネットワークと無線ネットワークとの間でデータフレームを中継する無線アクセスポイント装置の制御方法において、
第一の符号列と第二の符号列の一つまたは複数の組をそれぞれ対応付けて記憶手段に記憶する記憶工程と、
接続を許可する信号を送信する接続許可信号送信工程と、
接続を拒否する信号を送信する接続拒否信号送信工程と、
端末から接続要求信号と共に送信される符号列を受信する符号列受信工程と、
前記符号列受信工程により受信した符号列と前記記憶工程により記憶された符号列とを比較照合する符号列比較照合工程と、
前記符号列比較照合工程により前記受信した符号列が前記対応付けられた第一の符号列及び前記第二の符号列との組のいずれかに一致する場合は前記接続許可信号送信工程により当該端末に対して接続を許可する信号を送信する制御を行う第一の接続制御工程と、
前記符号列比較照合工程により前記受信した符号列が前記第一の符号列のいずれかに一致し且つ前記一致した第一の符号列及び対応付けられて前記記憶工程により記憶された前記第二の符号列とを送信して前記第一の接続制御工程により接続を許可されて通信中の端末が存在する場合は前記接続許可信号送信工程により当該端末に対して接続を許可する信号を送信し且つ前記通信中の端末が存在しない場合は前記接続拒否信号送信工程により当該端末に対して接続を拒否する信号を送信する第二の接続制御工程と
を備えたことを特徴とする無線アクセスポイント装置の制御方法。
【０１１３】
［実施態様１９］  前記符号列比較照合工程により前記受信した符号列が前記記憶工程により記憶された前記第一の符号列のいずれとも一致せず且つ前記第一の符号列と前記第二の符号列との組のいずれとも一致しない場合は、前記接続拒否信号送信工程により当該端末に対して接続を拒否する信号を送信する制御を行う第三の接続制御工程を備えたことを特徴とする実施態様１８に記載の無線アクセスポイント装置の制御方法。
【０１１４】
［実施態様２０］  前記有線ネットワークインターフェースに接続された前記有線ネットワークから送信される前記第一の符号列及び前記第二の符号列との組を受信して前記記憶手段に記録する符号列記録工程を備えたことを特徴とする実施態様１８または１９に記載の無線アクセスポイント装置の制御方法。
【０１１５】
［実施態様２１］  有線ネットワークと無線ネットワークとの間でデータフレームを中継する無線アクセスポイント装置の制御方法において、
第一の符号列と第二の符号列の一つまたは複数の組をそれぞれ対応付けて記憶手段に記憶する記憶工程と、
接続を許可する信号を送信する接続許可信号送信工程と、
接続を拒否する信号を送信する接続拒否信号送信工程と、
端末から送信された接続要求信号を受信すると所定の符号列を送信するように要求する信号を送信する符号列要求信号送信工程と、
端末から送信された符号列を受信する符号列受信工程と、
前記符号列受信工程により受信した符号列と前記記憶工程により記憶された符号列とを比較照合する符号列比較照合工程と、
前記符号列比較照合工程により前記受信した符号列が前記第二の符号列のいずれかに一致する場合は前記接続許可信号送信工程により当該端末に対して接続を許可する信号を送信する制御を行う第一の接続制御工程と、
前記符号列比較照合工程により前記受信した符号列が前記第一の符号列のいずれかに一致し且つ前記一致した前記第一の符号列に対応付けられて前記記憶工程により記憶された前記第二の符号列を送信して前記第一の接続制御工程により接続を許可されて通信中の端末が存在する場合は前記接続許可信号送信工程により当該端末に対して接続を許可する信号を送信し且つ前記通信中の端末が存在しない場合は前記接続拒否信号送信工程により当該端末に対して接続を拒否する信号を送信する第二の接続制御工程と
を備えたことを特徴とする無線アクセスポイント装置の制御方法。
【０１１６】
［実施態様２２］  前記符号列比較照合工程により前記受信した符号列が前記記憶工程により記憶された前記第一の符号列及び前記第二の符号列のいずれとも一致しない場合は、前記接続拒否信号送信工程により当該端末に対して接続を拒否する信号を送信する制御を行う第三の接続制御工程を備えたことを特徴とする実施態様２１に記載の無線アクセスポイント装置の制御方法。
【０１１７】
［実施態様２３］  前記有線ネットワークインターフェースに接続された前記有線ネットワークから送信される前記第一の符号列及び前記第二の符号列との組を受信して前記記憶手段に記録する符号列記録工程を備えたことを特徴とする実施態様２１または２２に記載の無線アクセスポイント装置の制御方法。
【０１１８】
［実施態様２４］  有線ネットワークと無線ネットワークとの間でデータフレームを中継する無線アクセスポイント装置の制御方法において、
第一の符号列と第二の符号列の一つまたは複数の組をそれぞれ対応付けて記憶手段に記憶する記憶工程と、
接続を許可する信号を送信する接続許可信号送信工程と、
接続を拒否する信号を送信する接続拒否信号送信工程と、
端末から接続要求信号と共に送信される符号列を受信する符号列受信工程と、
前記符号列受信工程により受信した前記符号列と前記記憶工程により記憶された前記符号列とを比較照合する符号列比較照合工程と、
前記符号列比較照合工程により前記受信した符号列が前記第二の符号列のいずれかに一致する場合は前記接続許可信号送信工程により当該端末に対して接続を許可する信号を送信する制御を行う第一の接続制御工程と、
前記符号列比較照合工程により前記受信した符号列が前記第一の符号列のいずれかに一致し且つ前記一致した第一の符号列に対応付けられて前記記憶工程により記憶された前記第二の符号列を送信して前記第一の接続制御工程により接続を許可されて通信中の端末が存在する場合は前記接続許可信号送信工程により当該端末に対して接続を許可する信号を送信し且つ前記通信中の端末が存在しない場合は前記接続拒否信号送信工程により当該端末に対して接続を拒否する信号を送信する第二の接続制御工程とを備えたことを特徴とする無線アクセスポイント装置の制御方法。
【０１１９】
［実施態様２５］  前記符号列比較照合工程により前記受信した符号列が前記記憶工程により記憶された前記第一の符号列及び前記第二の符号列のいずれとも一致しない場合は前記接続拒否信号送信工程により当該端末に対して接続を拒否する信号を送信する制御を行う第三の接続制御工程を備えたことを特徴とする実施態様２４に記載の無線アクセスポイント装置の制御方法。
【０１２０】
［実施態様２６］  前記有線ネットワークインターフェースに接続された前記有線ネットワークから送信される前記第一の符号列及び前記第二の符号列との組を受信して前記記憶手段に記録する符号列記録手段を備えたことを特徴とする実施態様２４または２５に記載の無線アクセスポイント装置の制御方法。
【０１２１】
［実施態様２７］  実施態様１４乃至２６に記載の制御方法が備えた各工程をコンピュータに実行させるためのプログラムコードから成ることを特徴とするコンピュータ読み取り可能な制御プログラム。
【０１２２】
［実施態様２８］  実施態様２７に記載の制御プログラムを格納したことを特徴とする記憶媒体。
【０１２３】
【発明の効果】
以上説明したように、本発明によれば、簡便な設定で容易に接続の管理及び制御を行うことができる無線端末から接続を要求されパスワードを受信した際に、受信したパスワードが登録された第一パスワード及び第二パスワードに一致する場合は、当該端末の接続を許可してデータ通信を行い、このようにしてデータ通信中のときに限り、第一パスワードのみを送信する端末に対して接続を許可する制御を行うので、容易に接続制御が可能になるという効果を奏する。
【図面の簡単な説明】
【図１】本発明の第一の実施の形態に係る無線アクセスポイント装置の構成を示すブロック図である。
【図２】本発明の第一の実施の形態に係る無線アクセスポイント装置のＥＥＰＲＯＭの記憶領域を説明する図である。
【図３】本発明の第一の実施の形態に係る無線アクセスポイント装置と無線端末との通信手順を示すシーケンス図である。
【図４】本発明の第一の実施の形態に係る無線アクセスポイント装置と無線端末との通信手順を示すシーケンス図である。
【図５】本発明の第一の実施の形態に係る無線アクセスポイント装置と無線端末との通信手順を示すシーケンス図である。
【図６】本発明の第一の実施の形態に係る無線アクセスポイント装置の接続制御処理動作の流れを示すフローチャートである。
【図７】本発明の第二の実施の形態に係る無線アクセスポイント装置の接続制御処理動作の流れを示すフローチャートである。
【符号の説明】
１００  無線アクセスポイント装置
１０１  無線通信回路部
１０２  有線ネットワークインターフェース部
１０３  ＣＰＵ
１０４  ＲＯＭ
１０５  ＲＡＭ
１０６  バスライン
１０７  ＥＥＰＲＯＭ
１０８  電源回路部
１０９  シリアル通信インターフェース
１１０  電源ライン
【図１】
2005033406.tif 000003
【図２】
2005033406.tif 000004
【図３】
2005033406.tif 000005
【図４】
2005033406.tif 000006
【図５】
2005033406.tif 000007
【図６】
2005033406.tif 000008
【図７】
2005033406.tif 000009